(57)【要約】【課題】定められたフォーマットの情報を携帯電話の外部インタフェースにより受信した場合、事前に携帯電話に登録したインターネットサイトに自動アクセスする携帯電話アプリケーションプログラムを提供する。【解決手段】カメラ付き近距離無線通信機能を搭載した携帯電話を備え、携帯電話の外部インタフェースボタン１０２が押されたら（S1）、アプリケーションプログラムがロードされ（S2,S3）、使用者の行動により（S4）、読込んだコードがデコードされ（S５）、無線でデータが受信され（S6）、データのフォーマットが解析され（S7）、定まれたデータフォーマットか判断され（S8）、定まれたデータファーマットであれば識別コード４１０に関連付けられたURLが取得され（S10）、取得したURL先にアクセス際に使用者の確認を行う必要なくサイトに自動アクセスを行う（S11）。【選択図】図５
2011142510.tif 000002
【特許請求の範囲】
【請求項１】
携帯電話機にはカメラと外部インタフェースボタンを設け、携帯電話のＲＯＭには特定インターネットサイトに自動アクセスするプログラム、制御設定ファイルと特定インターネットサイトのＵＲＬを保存したＵＲＬリストファイルが格納され、制御部には外部インタフェースボタンが押されたか検知する検知手段を備えて、前記検知手段により前記外部インタフェースボタンが押されたら前記特定インターネットサイトにアクセスするプログラムと制御設定ファイルをＲＡＭにロードするプログラムロード手段を備え、2次元コードのスキャンとデコードを行うデータ読込手段を備え、前記読込手段から読込んだデータのフォーマット解析手段を備えて、読込んだデータが定まれたフォーマットであれば、特定インターネットサイトのＵＲＬを保存したＵＲＬリストファイルからデータフォーマットと関連付けられるＵＲＬ取得手段を備えて、インターネットサイトにアクセスする自動アクセス手段を備えることを特徴とする特定インターネットサイトに自動アクセスする携帯電話のアプリケーションプログラム。
【請求項２】
携帯電話機には近距離無線通信機能を搭載し、外部インタフェースボタンを設け、携帯電話のＲＯＭには特定インターネットサイトに自動アクセスするプログラム、制御設定ファイルと特定インターネットサイトのＵＲＬを保存したＵＲＬリストファイルが格納され、制御部には外部インタフェースボタンが押されたか検知する検知手段を備えて、前記検知手段により前記外部インタフェースボタンが押されたら前記特定インターネットサイトにアクセスするプログラムと制御設定ファイルをＲＡＭにロードするプログラムロード手段を備え、近距離無線通信を活性化するデータ受信手段を備えて、前記データ受信手段からデータを受信したらデータのフォーマット解析手段を備えて、受信したデータが定まれたフォーマットであれば、特定インターネットサイトのＵＲＬを保存したＵＲＬリストファイルからデータフォーマットと関連付けられるＵＲＬ取得手段を備えて、インターネットサイトにアクセスする自動アクセス手段を備えることを特徴とする特定インターネットサイトに自動アクセスする携帯電話のアプリケーションプログラム。
【請求項３】
携帯電話機にはカメラと外部インタフェースボタンを設け、携帯電話のＲＯＭには特定インターネットサイトに自動アクセスするプログラム、制御設定ファイルと特定インターネットサイトのＵＲＬを保存したＵＲＬリストファイルが格納され、制御部には外部インタフェースボタンが押されたか検知する検知ステップを備えて、前記検知ステップにより前記外部インタフェースボタンが押されたら前記特定インターネットサイトにアクセスするプログラムと制御設定ファイルをＲＡＭにロードするプログラムロードステップを備え、2次元コードのスキャンとデコードを行うデータ読込ステップを備え、前記読込ステップから読込んだデータのフォーマット解析ステップを備えて、読込んだデータが定まれたフォーマットであれば、特定インターネットサイトのＵＲＬを保存したＵＲＬリストファイルからデータフォーマットと関連付けられるＵＲＬ取得ステップを備えて、インターネットサイトにアクセスする自動アクセスステップを備えることを特徴とする特定インターネットサイトに自動アクセスする携帯電話のアプリケーションプログラム。
【請求項４】
携帯電話機には近距離無線通信機能を搭載し、外部インタフェースボタンを設け、携帯電話のＲＯＭには特定インターネットサイトに自動アクセスするプログラム、制御設定ファイルと特定インターネットサイトのＵＲＬを保存したＵＲＬリストファイルが格納され、制御部には外部インタフェースボタンが押されたか検知する検知ステップを備えて、前記検知ステップにより前記外部インタフェースボタンが押されたら前記特定インターネットサイトにアクセスするプログラムと制御設定ファイルをＲＡＭにロードするプログラムロードステップを備え、近距離無線通信を活性化するデータ受信ステップを備えて、前記データ受信ステップからデータを受信したらデータのフォーマット解析ステップを備えて、受信したデータが定まれたフォーマットであれば、特定インターネットサイトのＵＲＬを保存したＵＲＬリストファイルからデータフォーマットと関連付けられるＵＲＬ取得ステップを備えて、インターネットサイトにアクセスする自動アクセスステップを備えることを特徴とする特定インターネットサイトに自動アクセスする携帯電話のアプリケーションプログラム。
【請求項５】
携帯電話機の電源をオンにしたら無線で前記特定インターネットサイトのＵＲＬを保存したＵＲＬリストファイルを受信し、携帯電話のＲＡＭに保持して前記ＵＲＬ取得手段によりアクセス先のＵＲＬを取得することも可能なことを特徴とする請求項１または２に記載の特定インターネットサイトに自動アクセスする携帯電話のアプリケーションプログラム。
【請求項６】
請求項１または請求項２記載の定まれたフォーマットにはヘッダ部とデータ部があり、前記ヘッダ部には少なくともインターネットサイトを特定する識別コードを備えて、前記データ部には少なくともデータの発行者がわかる発行者情報、一回性トークン、処理区分コード、データを備えることを特徴とする特定インターネットサイトに自動アクセスする携帯電話のアプリケーションプログラム。
【請求項７】
携帯電話機を海外で使用する場合、出国する前に前記制御設定ファイルの取得元をファイルにし、前記ＵＲＬリストファイルに海外の提携サイトを設定することにより、海外でも提携サイトに自動アクセスすることが可能であることを特徴とする特定インターネットサイトに自動アクセスする携帯電話のアプリケーションプログラム。
【請求項８】
請求項１または請求項２記載の自動アクセス手段は前記ＵＲＬ取得手段によりアクセス先のＵＲＬを取得し、前記データ部をパラメータとし、さらに携帯電話番号をパラメータに付けて前記取得したアクセス先のＵＲＬにアクセスすることを特徴とする特定インターネットサイトに自動アクセスする携帯電話のアプリケーションプログラム。
【発明の詳細な説明】
【技術分野】
【０００１】
本発明は、定められたフォーマットの情報を携帯電話の外部インタフェースにより受信した場合、事前に携帯電話に登録したインターネットサイトに自動アクセスする携帯電話アプリケーションプログラムに関する。
【背景技術】
【０００２】
２次元バーコードリーダ機能が付いたカメラ付き携帯電話が普及され、携帯電話でインターネットにアクセスする際に携帯電話の入力装置でアクセス先のＵＲＬを入力することなくアクセス先のＵＲＬがある２次元バーコードを撮像して簡単にアクセスすることが可能である。
【０００３】
また、近年、世界標準の近距離無線規格である  ＢｌｕｅＴｏｏｔｈ「登録商標」を搭載した携帯電話端末、PC、ノットブック等も普及されており、ＢｌｕｅＴｏｏｔｈを利用した自動接続技術も開発されてある。「非特許文献１」（東芝プレスリリース２００３．２．２４）この技術により、2台の端末が１０ｃｍ以下に近接したら約1秒で自動接続されて容易に無線通信ができるようになった。
【０００４】
携帯電話の近距離無線通信機能により、携帯電話でインターネットにアクセスする際に携帯電話の入力装置でアクセス先のＵＲＬを入力することなく近距離無線通信から受信したアクセス先のＵＲＬにアクセスすることが可能である。
【０００５】
【非特許文献１】東芝プレスリリース２００３．２．２４
【発明の開示】
【発明が解決しようとする課題】
【０００６】
しかし、２次元バーコードリーダとして２次元バーコードを読取ったら携帯電話の表示装置に2次元バーコード化した情報が表示され、またインターネットにアクセスする際にはアクセス先のＵＲＬを確認し、確認ボタンを押下しなければならない。
【０００７】
しかし、携帯電話の近距離無線通信機能により情報を受信した場合、受信した情報が携帯電話の表示装置に表示され、またインターネットにアクセスする際にはアクセス先のＵＲＬを確認し、確認ボタンを押下しなければならない。
【０００８】
しかしながら前記2次元バーコード化した情報または前記近距離無線通信機能により受信した情報にはアクセス先のＵＲＬがあり、余計なアクセスにより通信料が負荷されるのを防ぐためにはアクセス先のＵＲＬが正しいか確認しなければならないし、確認ボタンを押下する手間がかかる。
【０００９】
しかしながらアクセス先のサイトでアクセス元の認証処理がある場合、携帯電話決済サイト、携帯電話認証サイトなどの特定サイトにアクセスする際には手間が掛からない単純な手順が望ましい。
【００１０】
本発明の目的は、携帯電話から携帯電話決済サイト、携帯電話認証サイトなどの特定サイトにアクセスする際には携帯電話の外部インタフェースボタンを押しながら2次元コードをスキャンしたら2次元コードをデコードし、定められたフォーマットであれば、事前に携帯電話に登録して置いたサイトに自動アクセスする携帯電話のアプリケーションプログラムを提供する。
【００１１】
本発明の目的は、携帯電話から携帯電話決済サイト、携帯電話認証サイトなどの特定サイトにアクセスする際には携帯電話の外部インタフェースボタンを押しながらＢｌｕｅＴｏｏｔｈ接続端子に近づくとデータを受信し、受信データのフォーマットを解析し、定められたフォーマットであれば、事前に携帯電話に登録して置いたサイトに自動アクセスする携帯電話のアプリケーションプログラムを提供する。
【課題を解決するための手段】
【００１２】
上記の目的を達成するために、携帯電話機にはカメラと外部インタフェースボタンを設け、携帯電話のＲＯＭには特定インターネットサイトに自動アクセスするプログラム、制御設定ファイルと特定インターネットサイトのＵＲＬを保存したＵＲＬリストファイルが格納され、制御部には外部インタフェースボタンが押されたか検知する検知手段を備えて、前記検知手段により前記外部インタフェースボタンが押されたら前記特定インターネットサイトにアクセスするプログラムと制御設定ファイルをメモリにロードするプログラムロード手段を備え、2次元コードのスキャンとデコードを行うデータ読込手段を備え、前記読込手段から読込んだデータのフォーマット解析手段を備えて、読込んだデータが定まれたフォーマットであれば、特定インターネットサイトのＵＲＬを保存したＵＲＬリストファイルからデータフォーマットと関連付けられるＵＲＬ取得手段を備えて、インターネットサイトにアクセスする自動アクセス手段を備えることを特徴とする。
【００１３】
上記の目的を達成するために、携帯電話機にはＢｌｕｅＴｏｏｔｈ近距離無線通信機能を搭載し、外部インタフェースボタンを設け、携帯電話のＲＯＭには特定インターネットサイトに自動アクセスするプログラム、制御設定ファイルと特定インターネットサイトのＵＲＬを保存したＵＲＬリストファイルが格納され、制御部には外部インタフェースボタンが押されたか検知する検知手段を備えて、前記検知手段により前記外部インタフェースボタンが押されたら前記特定インターネットサイトにアクセスするプログラムと制御設定ファイルをメモリにロードするプログラムロード手段を備え、ＢｌｕｅＴｏｏｔｈ近距離無線通信を活性化するデータ受信手段を備えて、前記データ受信手段からデータを受信したらデータのフォーマット解析手段を備えて、受信したデータが定まれたフォーマットであれば、特定インターネットサイトのＵＲＬを保存したＵＲＬリストファイルからデータフォーマットと関連付けられるＵＲＬ取得手段を備えて、インターネットサイトにアクセスする自動アクセス手段を備えることを特徴とする。
【００１４】
携帯電話機の電源をオンにしたら無線で前記特定インターネットサイトのＵＲＬを保存したＵＲＬリストファイルを受信し、携帯電話のＲＡＭに保持することを特徴とする。
【００１５】
前記定まれたフォーマットにはヘッダ部とデータ部があり、前記ヘッダ部には少なくともインターネットサイトを特定する識別コードを備えて、前記データ部には少なくともデータの発行者がわかる発行者情報、一回性トークン、処理区分コード、データを備えることを特徴とする。
【００１６】
前記ＵＲＬ取得手段は前記制御設定ファイルから取得元がプログラムであれば、前記データのフォーマット解析手段により、定まれたデータファーマットであり、ヘッダ部の識別コードをキーに前記自動アクセスするプログラムに定義されている固定ＵＲＬリストからアクセス先のＵＲＬを取得することを特徴とする。
【００１７】
前記ＵＲＬ取得手段は前記制御設定ファイルから取得元がファイルであれば、前記データのフォーマット解析手段により、定まれたデータファーマットであり、ヘッダ部の識別コードをキーに前記ＵＲＬリストファイルからアクセス先のＵＲＬを取得することを特徴とする。
【００１８】
前記ＵＲＬ取得手段は前記制御設定ファイルから取得元がＲＡＭであれば、前記データのフォーマット解析手段により、定まれたデータファーマットであり、ヘッダ部の識別コードをキーに前記ＲＡＭからアクセス先のＵＲＬを取得することを特徴とする。
【００１９】
携帯電話機を海外で使用する場合、出国する前に前記制御設定ファイルの取得元をファイルにし、前記ＵＲＬ保存ファイルに海外の提携サイトを設定することにより、海外でも提携サイトに自動アクセスすることが可能であることを特徴とする。
【００２０】
携帯電話機を海外で使用する場合、出国する前に前記制御設定ファイルの取得元をＲＡＭにし、海外のサービスエリアで携帯電話の電源をオンにすることにより海外の提携サイトのＵＲＬを保存したＵＲＬリストファイルを無線で受信し、ＲＡＭに保持することにより、海外でも提携サイトに自動アクセスすることが可能であることを特徴とする。
【００２１】
前記自動アクセス手段は前記ＵＲＬ取得手段によりアクセス先のＵＲＬを取得し、前記データ部をパラメータとし、さらに携帯電話番号をパラメータに付けて前記取得したアクセス先のＵＲＬにアクセスすることを特徴とする。
【００２２】
前記近距離無線通信機能はＢｌｕｅＴｏｏｔｈに限るものではなく赤外線通信を含んで2台の端末が１００ｃｍ以下に近接したら自動接続されて容易に無線通信ができる機能である。
【発明の効果】
【００２３】
本発明の携帯電話機の外部インタフェースボタンを押しながら2次元コードをスキャンまたはＢｌｕｅＴｏｏｔｈの接続端子にかざすだけで特定のインターネットサイトにアクセスし、情報処理ができる個人情報端末を提供し、決済処理ができる個人決済端末を提供し、認証処理ができる個人認証端末を提供する。
【発明を実施するための最良の形態】
【００２４】
本発明の実施の形態を、以下図に基づき説明する。
【００２５】
図１は、後から見られた例示的なカメラ付き携帯電話機を示す透視図である。
【００２６】
図１において、カメラ付き携帯電話機１００は、カメラ１０１と、外部インタフェースボタン１０２とを有する。
【００２７】
図２は、本発明による例示的なカメラ付き携帯電話機を示すブロック図である。
【００２８】
図２において、携帯電話機２００は、制御部２０１と、ＲＯＭ（Read  Only  Memory）２０２とＲＡＭ（Random  Access  Memory）２０３と操作部２０４と表示部２０５と無線通信部２０６とＢｌｕｅＴｏｏｔｈ通信部２０７と２次元コード読取部２０８とボタン押下検知部２０９とを有する。図２に示す携帯電話機２００の各構成は、筐体の内部に設けられる。
【００２９】
制御部２０１は、ＲＯＭ２０２又はＲＡＭ２０３に格納されたプログラムに従って処理を実行する。制御部２０１はボタン押下検知手段２１０とプログラムロード手段２１１とデータ読込手段２１２とデータ受信手段２１３とフォーマット解析手段２１４とＵＲＬ取得手段２１５と自動アクセス手段２１６とを有する。
【００３０】
ＲＯＭ（Read  Only  Memory）２０２は、少なくともアプリケーションプログラム２２０と制御設定ファイル２２１とＵＲＬ保存したＵＲＬリストファイル２２２とを有する。ＲＯＭ２０２には、通信や画面表示など携帯電話機２００が有する基本的な機能を実現させるための制御プログラムの他、ユーザーによって追加することのできるアプリケーションプログラムなどが格納される。また、各プログラムには、それぞれ制御情報が付加されている。ＲＯＭ２０２に記憶されたプログラムは、制御部２０１によりＲＡＭ２０３へ展開され、実行される。
【００３１】
ＲＡＭ（Random  Access  Memory）２０３は、ロードされたアプリケーションプログラム２３０と携帯電話の電源をオンにする時に受信したＵＲＬリストファイル２３１を保持する。 
【００３２】
制御部２０１は、無線通信部２０６を通じて無線ネットワークに接続することができ、自動アクセス手段２１６は無線ネットワーク介して特定のインターネットサイトにアクセスすることができる。
【００３３】
ユーザーは、操作部２０４を操作することで、携帯電話機２００の制御部２０１に対して各種の入力を行うことができる。表示部２０５は、音声通信の発信画面の表示、無線ネットワークから取得した情報の表示、アプリケーションプログラムの実行結果の表示など、携帯電話機２００が有する機能のうち表示に関連した機能を実現する。
【００３４】
ボタン押下検知部２０９は、外部インタフェースボタン１０２が押下されたら制御部２０１に通知し、ボタン押下検知手段２１０はＲＡＭ２０３にプログラムがロードされているか確認し、ロードされてない場合、プログラムロード手段２１１によりプログラムロードとＢｌｕｅＴｏｏｔｈ通信部２０７と２次元コード読取部２０８の機能をアクティブ化する。
【００３５】
図３は、本発明による例示的なアプリケーションプログラムの構成図である。
【００３６】
図３において、アプリケーションプログラム３００は、メインプログラム３０１と、制御フラグ３０２とアクセスＵＲＬリスト３０３とを有する。
【００３７】
図４は、本発明による例示的なデータフォーマットである。
【００３８】
図４において、データフォーマット４００は、ヘッダ部４０１と、データ部４０２とを有する。
【００３９】
ヘッダ部４０１は少なくとも識別コード４１０を有する。
【００４０】
データ部４０２は少なくとも発行者情報４２０と一回性トークン４２１と処理区分４２２とデータ４２３を有する。
【００４１】
図５は、外部インタフェースボタン１０２が押下され、アプリケーションプログラム３００の実行の動作を説明するフローチャート図である。
【００４２】
外部インタフェースボタン１０２が押されたらボタン押下検知部２０９が検知して制御部２０１に通知して（ステップS1においてＹＥＳ）、制御部２０１のボタン押下検知手段２１０はＲＡＭ２０３にアプリケーションプログラム３００がロードされているか確認し、プログラムがロードされていない場合（ステップS２においてNO）、制御部２０１はプログラムロード手段２１１により、ＲＯＭ（Read  Only  Memory）２０２からアプリケーションプログラム２２０をＲＡＭ２０３に展開し、制御設定ファイル２２１を読み込み、制御フラグ３０２の初期化を行い、制御フラグがファイルであれば、ＵＲＬ保存したＵＲＬリストファイル２２２を読み込み、または制御フラグがＲＡＭであれば、受信したＵＲＬ保存ファイル２３１を読み込み、アクセスＵＲＬリスト３０３の初期化を行う（ステップS３）。
【００４３】
制御部２０１は、アプリケーションプログラム２２０がＲＡＭ２０３にロードになったら、２次元コード読取部２０８とＢｌｕｅＴｏｏｔｈ通信部２０７を活性化し、２次元コードスキャンの場合（ステップS４において２次元コードスキャン）、データ読取手段２１２によりコードデコードを行い（ステップS５）、近距離無線通信の場合（ステップS４において近距離無線通信）、データ受信手段２１３により無線でデータを受信する（ステップS６）。
【００４４】
アプリケーションプログラム２２０は外部インタフェースにより取得したデートのデータファーマット解析を行い（フォーマット解析手段２１４）（ステップS７）。データが定められたフォーマットでない場合（ステップS８においてNO）、データを表示部２０５に表示し（ステップS９）、データが定められたフォーマットである場合（ステップS８においてＹＥＳ）、ＵＲＬ取得手段２１５によりデータからデータのヘッダ部４０１とデータ部４０２に切り分けし、ヘッダ部４０１から識別コード４１０を取得し、識別コード４１０をキーにして、アクセスＵＲＬリスト３０３から特定アクセス先のＵＲＬを取得する（ステップS１０）。
【００４５】
アプリケーションプログラム２２０はステップS１０により取得したＵＲＬにアクセスする際にデータから切り分けしたデータ部４０２をパラメータにし、さらに携帯電話番号をパラメータに付けてアクセスを行う（自動アクセス手段２１６）（ステップS１１）。
【００４６】
図６は、制御設定ファイルであって、本発明を説明するためのサンプルである。
【００４７】
図６の制御設定ファイルのデータは実データではなく例証としてのデータである。
【００４８】
図７は、ＵＲＬリストファイルであって、本発明を説明するためのサンプルである。
【００４９】
図７のＵＲＬリストファイルのデータは実データではなく例証としてのデータである。
【００５０】
以上説明した実施例において、図示した構成は単なる一例であって、本発明はその構成に限定されるものではない。
【産業上の利用可能性】
【００５１】
本発明は、携帯電話機、スマートフォン、ＰＨＳ、ＰＤＡに適用することができる。
【図面の簡単な説明】
【００５２】
【図１】後から見られた例示的なカメラ付き携帯電話機を示す透視図である。
【図２】本発明による例示的なカメラ付き携帯電話機を示すブロック図である。
【図３】本発明による例示的なアプリケーションプログラムの構成図である。
【図４】本発明による例示的なデータフォーマット図である。
【図５】本発明による例示的なフローチャートである。
【図６】本発明を説明するためのサンプル制御設定ファイルである。
【図７】本発明を説明するためのサンプルＵＲＬリストファイルである。
【符号の説明】
【００５３】
１００                カメラ付き携帯電話機
１０１                カメラ
１０２                外部インタフェースボタン
２００                携帯電話機を示すブロック図
２０１                制御部
２０２                ＲＯＭ（Read  Only  Memory）
２０３                ＲＡＭ（Random  Access  Memory）
２０４                操作部
２０５                表示部
２０６                無線通信部
２０７                ＢｌｕｅＴｏｏｔｈ通信部
２０８                ２次元コード読取部
２０９                ボタン押下検知部
２１０                ボタン押下検知手段
２１１                プログラムロード手段
２１２                データ読込手段
２１３                データ受信手段
２１４                フォーマット解析手段
２１５                ＵＲＬ取得手段
２１６                自動アクセス手段
２２０                アプリケーションプログラム
２２１                制御設定ファイル
２２２                ＵＲＬリストファイル
２３０                ロードしたアプリケーションプログラム
２３１                受信したＵＲＬリストファイル
３００                アプリケーションプログラム
３０１                メインプログラム
３０２                制御フラグ
３０３                アクセスＵＲＬリスト
４００                データフォーマット
４０１                ヘッダ部
４０２                データ部
４１０                識別コード
４２０                発行者情報
４２１                一回性トークン
４２２                処理区分コード
４２３                データ
【図１】
2011142510.tif 000003
【図２】
2011142510.tif 000004
【図３】
2011142510.tif 000005
【図４】
2011142510.tif 000006
【図５】
2011142510.tif 000007
【図６】
2011142510.tif 000008
【図７】
2011142510.tif 000009